(57)【要約】【課題】ケーブルや棒状の被収納物を支持し、また収納するための作業工程を減らすことができる支持具および支持ユニットを提供する。【解決手段】弾性体で形成された収納体１と、収納体１に貫通されて開けられ、棒状体を支持すると共に、この棒状体の周壁の両方向から、この棒状体の押圧をする収納穴２と、収納穴２に沿って収納体１の表面に設けられ、棒状体を収納穴２に挿入するための案内溝３とを備える。これによって、ケーブルや棒状の被収納物を支持する場合、案内溝３に被収納物を挿入すれば、被収納物が収納穴２に入るので、被収納物を支持するための作業工程を減らすことができる。【選択図】  図１
2004201399.tif 000002
【特許請求の範囲】
【請求項１】
弾性体で形成された収納体と、
前記収納体に貫通されて開けられ、棒状体を支持すると共に、この棒状体の周壁の両方向から、この棒状体の押圧をする収納穴と、
前記収納穴に沿って前記収納体の表面に設けられ、棒状体を前記収納穴に挿入するための案内溝とを備えることを特徴とする支持具。
【請求項２】
各前記収納穴が互いに同じ向きになるように請求項１記載の支持具を１列に並べた配列体を備えることを特徴とする支持具。
【請求項３】
弾性体で形成された収納体と、
前記収納体に貫通されて開けられ、棒状体を支持すると共に、この棒状体の周壁の両方向から、この棒状体の押圧をする複数の収納穴と、
前記収納穴に沿って前記収納体の表面に設けられ、棒状体を前記各収納穴に挿入するための複数の案内溝とを備え、
前記収納穴を互いに平行に配列したことを特徴とする支持具。
【請求項４】
板状の基部と、
前記基部の表面に設けられた請求項２または請求項３に記載の複数の支持具とを備え、
前記各支持具の各収納穴が互いに向かい合うように、前記基部の表面に前記支持具を配列したことを特徴とする支持ユニット。
【請求項５】
表面が一巡するように、この表面で囲まれた箱体と、
前記箱体の表面に設けられた請求項２または請求項３に記載の複数の支持具とを備え、
前記支持具の各収納穴が互いに向かい合うように、かつ、前記箱体の表面を巡るように、前記各支持具を前記箱体の表面に配列したことを特徴とする支持ユニット。
【請求項６】
弾性体で形成された板状の板部を備え、
前記板部は、凹凸を繋ぎ合わせた断面形状によって、棒状体を支持すると共に、この棒状体の周壁の両方向から棒状体の押圧をする収納穴と、棒状体を前記収納穴に挿入するための案内溝とを形成したことを特徴とする支持具。
【請求項７】
弾性体で形成された板状の板部を備え、
前記板部は、凹凸を繰り返す断面形状によって、棒状体を支持すると共に、この棒状体の周壁の両方向から棒状体の押圧をする複数の収納穴と、棒状体を前記収納穴に挿入するための複数の案内溝とを形成したことを特徴とする支持具。
【請求項８】
板状の台部と、
前記台部の平面状の表面に設けられた請求項１に記載の支持具と、
前記支持具を覆う蓋部とを備え、
前記蓋部には、前記支持具を挿入するための覆い溝が設けられ、前記覆い溝は、前記支持具の案内溝に対して交差する方向から、この支持具を押圧することを特徴とする支持ユニット。
【請求項９】
板状の台部と、
前記台部の平面状の表面にあらかじめ設定された配線経路の端に、それぞれ設けられた請求項１に記載の支持具と、
前記配線経路が交差する部分にそれぞれ設けられ、棒状体の配線方向を決めるガイドと、
前記支持具を覆う蓋部とを備え、
前記蓋部には、前記支持具、前記ガイド、および前記支持具と前記ガイドとによって配置された棒状体を挿入するための覆い溝が設けられ、前記覆い溝は、前記支持具の案内溝に対して交差する方向から、この支持具を押圧することを特徴とする支持ユニット。
【発明の詳細な説明】
【０００１】
【発明の属する技術分野】
この発明は、ケーブルまたは棒状の被収納物を支持し、また収納するための支持具および支持ユニットに関する。
【０００２】
【従来の技術】
従来、ケーブルまたは棒状の被収納物（棒状体）を支持するために、作業者が次のようにしている。この棒状体がケーブルであるとき、支持具として例えばモールのようなものを作業者が使用する。モールは上部と下部とに分かれる。そして、作業者は、モールの下部を室内の床や壁に取り付け、この後、モールの上部を下部から外して、この下部にケーブルを置き、外した上部を下部に再び被せる。
【０００３】
一方、棒状体がケーブルである場合、ケーブルを集めて収納しようとするとき、通常、作業者がケーブルを束ねる。この後、作業者は束ねたケーブルをバンドなどで縛っている。
【０００４】
【発明が解決しようとする課題】
ところで、ケーブルや棒状の被収納物を支持する従来の支持具、例えばモールのようなものは、ケーブルを支持するために、支持具の取り付けや取り外しの作業が必要になる。また、ケーブルを収納する場合、ケーブルを束ねて縛るという作業が必要になる。つまり、ケーブルや棒状の被収納物を支持または収納する場合、支持または収納するために必要な作業工程が多くなってしまう。
【０００５】
この発明は、前記の課題を解決し、ケーブルや棒状の被収納物を支持し、また収納するための作業工程を減らすことができる支持具および支持ユニットを提供することを目的とする。
【０００６】
【課題を解決するための手段】
前記課題を解決するために、請求項１の発明は、弾性体で形成された収納体と、前記収納体に貫通されて開けられ、棒状体を支持すると共に、この棒状体の周壁の両方向から、この棒状体の押圧をする収納穴と、前記収納穴に沿って前記収納体の表面に設けられ、棒状体を前記収納穴に挿入するための案内溝とを備えることを特徴とする支持具である。
請求項２の発明は、各前記収納穴が互いに同じ向きになるように請求項１記載の支持具を１列に並べた配列体を備えることを特徴とする支持具である。
請求項３の発明は、弾性体で形成された収納体と、前記収納体に貫通されて開けられ、棒状体を支持すると共に、この棒状体の周壁の両方向から、この棒状体の押圧をする複数の収納穴と、前記収納穴に沿って前記収納体の表面に設けられ、棒状体を前記各収納穴に挿入するための複数の案内溝とを備え、前記収納穴を互いに平行に配列したことを特徴とする支持具である。
請求項４の発明は、板状の基部と、前記基部の表面に設けられた請求項２または請求項３に記載の複数の支持具とを備え、前記各支持具の各収納穴が互いに向かい合うように、前記基部の表面に前記支持具を配列したことを特徴とする支持ユニットである。
請求項５の発明は、表面が一巡するように、この表面で囲まれた箱体と、前記箱体の表面に設けられた請求項２または請求項３に記載の複数の支持具とを備え、前記支持具の各収納穴が互いに向かい合うように、かつ、前記箱体の表面を巡るように、前記各支持具を前記箱体の表面に配列したことを特徴とする支持ユニットである。
請求項６の発明は、弾性体で形成された板状の板部を備え、前記板部は、凹凸を繋ぎ合わせた断面形状によって、棒状体を支持すると共に、この棒状体の周壁の両方向から棒状体の押圧をする収納穴と、棒状体を前記収納穴に挿入するための案内溝とを形成したことを特徴とする支持具である。
請求項７の発明は、弾性体で形成された板状の板部を備え、前記板部は、凹凸を繰り返す断面形状によって、棒状体を支持すると共に、この棒状体の周壁の両方向から棒状体の押圧をする複数の収納穴と、棒状体を前記収納穴に挿入するための複数の案内溝とを形成したことを特徴とする支持具である。
請求項８の発明は、板状の台部と、前記台部の平面状の表面に設けられた請求項１に記載の支持具と、前記支持具を覆う蓋部とを備え、前記蓋部には、前記支持具を挿入するための覆い溝が設けられ、前記覆い溝は、前記支持具の案内溝に対して交差する方向から、この支持具を押圧することを特徴とする支持ユニットである。
請求項９の発明は、板状の台部と、前記台部の平面状の表面にあらかじめ設定された配線経路の端に、それぞれ設けられた請求項１に記載の支持具と、前記配線経路が交差する部分にそれぞれ設けられ、棒状体の配線方向を決めるガイドと、前記支持具を覆う蓋部とを備え、前記蓋部には、前記支持具、前記ガイド、および前記支持具と前記ガイドとによって配置された棒状体を挿入するための覆い溝が設けられ、前記覆い溝は、前記支持具の案内溝に対して交差する方向から、この支持具を押圧することを特徴とする支持ユニットである。
【０００７】
【発明の実施の形態】
つぎに、この発明の実施の形態について、図面を参照して詳しく説明する。
【０００８】
［実施の形態１］
この実施の形態による支持具を図１に示す。この支持具は、棒状体として例えばケーブルを収納する。ケーブルとしては、電源用やパソコン用のものがある。
この支持具は直方体形状の収納体１を備えている。収納体１は、シリコンゴムなどのような弾性体で作られている。図２に示すように、収納体１の一方の端面１Ａと対向する他方の端面は傾斜面１Ｂである。
【０００９】
端面１Ａから傾斜面１Ｂに向かって、かつ、収納体１の内部には、収納穴２が開けられている。収納穴２は、図３に示すように、幅Ｌが前記のケーブルの径より狭くなっている。収納穴２の断面形状は、収納体１の表面である上面１Ｃに向かって、上部が先細りになるような逆Ｕ字状に形成されている。
【００１０】
一方、収納体１の上面１Ｃには、収納穴２に沿うようにＶ字状の案内溝３が設けられている。案内溝３の底部は、逆Ｕ字状の収納穴２の先端と連結されている。これによって、収納体１には、案内溝３の中心Ｃの両側に、分割部分１１、１２が形成される。収納体１が弾性体で作られているので、分割部分１１、１２は収納体１の底部分１３に対して、内側、外側にたわむ。
【００１１】
この実施の形態による支持具は前記の構造である。この支持具は次のようにして用いられる。ケーブル３０１を支持具で支持するために、図４に示すように、ケーブル３０１を案内溝３から収納穴２に向かって押し下げる。これによって、分割部分１１、１２が矢印Ａ１、Ａ２の方向つまり外側に開く。そして、ケーブル３０１が収納穴２内部に入る。このとき、ケーブル３０１の径が収納穴２の幅Ｌに比べて狭いので、分割部分１１、１２は、ケーブル３０１を矢印Ａ３、Ａ４の方向つまり内側に押圧する。
【００１２】
こうして、支持具にケーブル３０１を挿入するだけで、つまり、１回の作業でケーブル３０１を支持することができる。同時に、支持具によってケーブル３０１を押圧しながら支持することができる。この結果、ケーブル３０１は支持具に固定される。また、支持具には傾斜面１Ｂが設けられているので、ケーブル３０１を支持具から外すときに、ケーブル３０１を傾斜面１Ｂ側から押し上げる。これによって、ケーブル３０１を支持具から簡単に外すことができる。つまり、この支持具によって１回の作業でケーブル３０１を外すことができる。
【００１３】
［実施の形態２］
この実施の形態による支持具では、図５に示すように、収納体１の傾斜面１Ｂと対向する端面が傾斜面１Ｄである。これによって、支持具に挿入されたケーブルを、傾斜面１Ｂまたは傾斜面１Ｄのどちらからでも、簡単に取り外すことができる。また、図６に示すように、収納体１の端面１Ａと対向する端面を、この端面１Ａと平行な端面１Ｅとしてもよい。
【００１４】
［実施の形態３］
この実施の形態による支持具では、図７に示すように、案内溝３に連結して収納体１に開けられている収納穴２Ａの断面形状が、ケーブルの径より狭い円形である。この断面形状の収納穴によって、挿入されたケーブルを動かないように確実に支持することができる。また、図７に示す案内溝３の他にも、図８〜図１２に示すように、各種の断面形状をした案内溝３Ａ〜３Ｅを用いることが可能である。
【００１５】
［実施の形態４］
この実施の形態による支持具を図１３に示す。この支持具は、実施の形態１と同じように棒状体として例えばケーブルを支持する。この支持具は、直方体形状の収納体１１を備えている。収納体１１は、シリコンゴムなどのような弾性体で作られている。
【００１６】
収納体１１に収納穴１２が開けられている。収納体１１の断面形状は、Ｕ字状に形成されている。Ｕ字状の収納体１１の両端は、円筒形状に加工されている。
これによって、２つの円筒で挟まれた案内溝１３が形成される。
【００１７】
この構造の支持具によれば、実施の形態１と同じように、ケーブルを挿入するだけで、つまり、１回の作業でケーブルを支持することができる。同時に、支持具によってケーブルを押圧しながら支持することができる。また、ケーブルを支持具から簡単に外すことができる。つまり、この支持具によって１回の作業でケーブルを外すことができる。
【００１８】
［実施の形態５］
この実施の形態による支持ユニットを図１４に示す。この支持ユニットは、棒状体としてケーブル３０１を床に配線するために用いられる。この支持ユニットは、実施の形態１〜４の中の１つの支持具２１を複数用いている。ケーブル３０１を配線するために、支持具２１を床に隔たって取り付ける。取り付けの際には、図１５に示すように、収納穴２１Ａから床に対してネジ２２によって、支持具２１を床に固定する。
【００１９】
この実施の形態によれば、ケーブル３０１を支持具２１に押し込むだけで、ケーブル３０１を床に配線することができ、配線のための作業時間を短くすることができる。
【００２０】
［実施の形態６］
この実施の形態による支持ユニットを図１６に示す。この支持ユニットは、棒状体としてケーブル３０１を収納する。この支持ユニットは、台板３１と支持具３２とで構成されている。
【００２１】
台板３１は板状のものであり、支持ユニットの基部である。台板３１として、プラスチックの板などがある。支持具３２は、実施の形態１〜４の中の１つである。支持具３２は、収納穴が互いに平行になるように、一列に並べられている。
これによって、支持具の配列体３３が形成される。さらに、この配列体３３の各収納穴が向かい合うように、台板３１の両縁に配列体がそれぞれ配置されている。
【００２２】
この構成の支持ユニットを用いて、ケーブル３０１を収納する場合、台板３１の一端側に配置されている支持具３２から順にケーブル３０１を支持していく。
これによって、ケーブル３０１が台板３１の表面上に並べられて収納され、ケーブル３０１が絡まることを防ぐことができる。
【００２３】
［実施の形態７］
この実施の形態による支持ユニットを図１７に示す。この支持ユニットは、棒状体としてケーブル３０１を収納する。この支持ユニットは、箱部分４１と支持具４２とで構成されている。箱部分４１は、合成樹脂等で作られた箱体である。
支持具４２は、実施の形態１〜４の中の１つである。支持具４２は実施の形態６と同じ配列体４３を形成する。そして、この配列体４３が、箱部分４１の壁面に、かつ、収納穴がすべて同じ方向になるように、箱部分４１に配置されている。
図１７では、箱部分４１の互いに向かい合う上面および下面の両縁に配列体４３が配置されている。つまり、配列体４３は、箱部分４１の表面を一巡するように配列されている。
【００２４】
この構成の支持ユニットを用いて、ケーブル３０１を収納する場合、例えば上面の一端に配置されている支持具４２から順にケーブル３０１を支持していく。
これによって、ケーブル３０１が箱部分４１の壁面に沿って巻きつけられ、ケーブル３０１が絡まることを防ぐことができる。
【００２５】
なお、この実施の形態で用いた箱部分４１の代わりに、図１８に示すように、円柱状の筒部分４４を用いてもよい。この場合には、配列体４３の配列方向が筒部分４４の周方向と交差するように、４つの配列体４３が配置されている。この支持ユニットでも、ケーブル３０１が筒部分４４の周囲に巻きつけられ、ケーブル３０１が絡まることを防ぐことができる。
【００２６】
［実施の形態８］
この実施の形態による支持具を図１９に示す。この支持具は、実施の形態１〜４の収納体を連結したような形状である。この支持具は、直方体形状の収納体５１を備えている。収納体５１は、シリコンゴムなどのような弾性体で作られている。収納体５１の一方の端面５１Ａと対向する他方の端面は、実施の形態１と同じように傾斜面５１Ｂである。
【００２７】
端面５１Ａから傾斜面５１Ｂに向かって、かつ、収納体５１の内部には、複数の収納穴５２が開けられている。収納穴５２は、互いに平行になるように収納体５１に配列されている。各収納穴５２の形状は実施の形態１と同じように逆Ｕ字状である。
【００２８】
一方、収納体５１の上面５１Ｃには、各収納穴５２に沿うようにＶ字状の案内溝５３がそれぞれ設けられている。案内溝５３の底部は、逆Ｕ字状の収納穴５２の先端とそれぞれ連結されている。
【００２９】
この構造の支持具は、実施の形態６および実施の形態７で用いられた配列体の代わりとして使用される。
【００３０】
［実施の形態９］
実施の形態９による支持具を図２０に示す。この支持具は実施の形態８の変形例である。実施の形態９による支持具は、コードを床や壁などに配線するときに用いられる。この支持具は、断面形状が円弧状である棒状の収納体６１で作られている。収納体６１は、シリコンゴムなどのような弾性体で作られている。
【００３１】
収納体６１の一方の端面６１Ａから他方の端面６１Ｂに向かって、かつ、収納体６１の内部には、複数の収納穴６２が開けられている。収納穴６２は、互いに平行になるように収納体６１に配列されている。
【００３２】
収納体６１の上面６１Ｃには、各収納穴６２に沿うように案内溝６３がそれぞれ設けられている。案内溝６３は収納穴６２とそれぞれ連結されている。
【００３３】
この形状の支持具を床や壁などに取り付け、収納穴６２にケーブルを収納することができる。これによって、ケーブルを整理して床や壁などに配線することができる。しかも、この支持具によれば、収納体６１の断面形状が円弧状であるので、人の歩行等を妨げることを防ぐことができる。
【００３４】
なお、この実施の形態で用いた収納体６１の代わりに、図２１に示すように、断面形状が三角形をした収納体６４を用いてもよい。図２１の支持具は、部屋などの例えば壁と床とのコーナに設置されて用いられる。このとき、収納体６４の断面形状が三角形であるので、コーナによく適合する。
【００３５】
［実施の形態１０］
この実施の形態１０による支持具を図２２に示す。この支持具は、弾性のある合成樹脂製の板部７１で作られている。そして、板部７１は、断面が次の形状になるように加工されている。つまり、板部７１は、凹凸を組み合わせた断面形状をしている。この実施の形態では、板部７１は、Ｓ字状と、このＳ字と対称の逆Ｓ字とを繋ぎ合わせた断面形状をしている。板部７１が前記の断面形状に加工されると、楕円形状の収納穴７２と、湾曲した案内溝７３とが同時に形成される。
このとき、楕円形状の収納穴７２の短径がケーブルの径に比べて狭くなるように、板部７１が加工されている。
【００３６】
この実施の形態による支持具は次のようにして用いられる。図２３に示すように、ケーブル３０１を支持具で支持するために、ケーブル３０１を案内溝７３から収納穴７２に向かって押し下げる。板部７１は、合成樹脂製であり、弾性を持つので、案内溝７３を形成する部分が矢印Ａ１、Ａ２の方向つまり外側に開く。
そして、ケーブル３０１は、収納穴７２内部に入る。このとき、ケーブル３０１の径が収納穴２の短径に比べて狭いので、収納穴７２は、ケーブル３０１を矢印Ａ３、Ａ４の方向つまり内側に押圧し、ケーブル３０１を固定する。
【００３７】
この実施の形態によれば、一枚の合成樹脂製の板によって、支持具を作り出すことができる。
【００３８】
［実施の形態１１］
この実施の形態による支持具を図２４に示す。この支持具は、実施の形態８に対応するものである。この支持具は、実施の形態１０と同じように弾性のある合成樹脂製の板部８１で作られている。そして、板部８１は、断面が次の形状になるように加工されている。つまり、板部８１は、凹凸を交互に繰り返して組み合わせた断面形状をしている。この実施の形態では、板部８１は、Ｓ字状と、このＳ字と対称の逆Ｓ字とを交互に繰り返して組み合わせた断面形状をしている。板部８１が前記の断面形状に加工されると、楕円形状の複数の収納穴８２と、湾曲した複数の案内溝８３とが同時に形成される。このとき、楕円形状の収納穴８２の短径がケーブルの径に比べて狭くなるように、板部８１が加工されている。
【００３９】
この構造の支持具によれば、実施の形態１０と同じように、ケーブル３０１を支持することができる。さらに、この支持具によれば、案内溝８３と、この隣の案内溝８３との間にも、ケーブル３０１を支持することができる。
【００４０】
［実施の形態１２］
この実施の形態による支持ユニットを図２５に示す。この支持ユニットは、実施の形態１〜３の収納体を次のように用いている。つまり、この支持ユニットは直方体の形状をした台部９１を備え、台部９１の表面には収納体９２が設けられている。収納体９２の内部には、収納穴９２Ａが開けられている。収納穴９２Ａの断面形状は、収納体９２の上面に向かって、上部が狭くなるような台形である。
【００４１】
一方、収納体９２の上面には、収納穴９２Ａに沿うようにＶ字状の案内溝９２Ｂが設けられている。案内溝９２Ｂの底部は、収納穴９２Ａの先端と連結されている。これによって、収納体９２には、案内溝９２Ｂの両側に、分割部分９２Ｃ、９２Ｄが形成される。さらに、分割部分９２Ｃ、９２Ｄの外側側面に、断面形状が三角形の凸部が設けられている。収納体９２が弾性体で作られているので、分割部分９２Ｃ、９２Ｄは案内溝９２Ｂに対して、内側、外側にたわむ。
【００４２】
台部９１には蓋部９３が被さる。台部９１と向かい合う蓋部９３の表面には、断面形状が長方形の覆い溝９３Ａが形成されている。覆い溝９３Ａの幅は次のような広さである。蓋部９３が台部９１に被さったとき、分割部分９２Ｃ、９２Ｄが、図２６に示すように、矢印Ａ１１、Ａ１２に動くように、つまり、分割部分９２Ｃ、９２Ｄが互いに接近するように、覆い溝９３Ａの幅が決められている。
【００４３】
この実施の形態による支持ユニットは次のようにして用いられる。ケーブル３０１(図２６)を支持ユニットで支持するために、ケーブル３０１を案内溝９２Ｂから収納穴９２Ａに向かって押し下げる。この後、収納体９２を覆い溝９３Ａに挿入するように、蓋部９３を台部９１に被せる。これによって、収納体９２の分割部分９２Ｃ、９２Ｄが互いに接近するようにたわむので、分割部分９２Ｃ、９２Ｄがケーブル３０１を押圧して支持する。この結果、ケーブル３０１が収納体９２に固定される。
【００４４】
この実施の形態によれば、蓋部９３の覆い溝９３Ａによって収納体９２の分割部分９２Ｃ、９２Ｄを押すので、ケーブル３０１を確実に支持することができる。
【００４５】
［実施の形態１３］
この実施の形態による支持ユニットを図２７に示す。この支持ユニットは、部屋の床等に設置されて、配線を縦横に配線するために用いられる。この支持ユニットは、板状の台部１０１を備える。台部１０１には、図２８に示すように、配線経路１０１１、１０１２が、あらかじめ設定されている。ケーブルは、これらの配線経路１０１１、１０１２に沿って縦横に配線される。
【００４６】
配線経路１０１１、１０１２の端と、台部１０１の４つの縁とが交差する部分には、収納体１０１Ａが配置されている。収納体１０１Ａは実施の形態１２と同じである。また、配線経路１０１１と配線経路１０１２とが交差する部分には、十字状に溝を備えるガイド１０１Ｂが形成されている。ガイド１０１Ｂは、ケーブルの配線方向を決めるためのものである。
【００４７】
台部１０１には、蓋部１０２が被さる。台部１０１の配線経路１０１１、１０１２と向かい合う蓋部１０２の表面には、断面形状が長方形の覆い溝１０２Ａ、１０２Ｂが形成されている。覆い溝１０２Ａ、１０２Ｂの幅は次のような広さである。図２９に示すように、蓋部１０２が台部１０１に被さったとき、収納体１０１Ａがケーブルを押圧するように、覆い溝１０２Ａ、１０２Ｂの幅が決められている。
【００４８】
この実施の形態による支持ユニットは次のようにして用いられる。ケーブルを支持ユニットで支持するために、ケーブルを収納体１０１Ａに押し下げる。この後、覆い溝１０２Ａ、１０２Ｂに収納体１０１Ａを挿入するように、蓋部１０２を台部１０１に被せる。このとき、ケーブルは、一列に並んだガイド１０１Ｂによって、直線状に配置してもよく、また、ガイド１０１Ｂで直角に曲げてもよい。
【００４９】
以上、この発明の実施の形態１〜１３を詳述してきたが、具体的な構成はこれらの実施の形態に限られるものではなく、この発明の要旨を逸脱しない範囲の設計の変更等があっても、この発明に含まれる。
【００５０】
たとえば、発明の実施の形態１〜１３では、ケーブルを支持する場合について述べたが、支持するものは棒状であれば、どのようなもの（掃除用具等）でも可能である。また、各実施の形態では、ケーブルを１本支持したが、支持するケーブルは、複数でもよい。また、ケーブルとしては、導体を２本平行にして絶縁体で被覆した平型ケーブルでもよい。この場合には、ケーブルを収納する収納穴を楕円形にして、ケーブルを収納し易くしてもよい。
【００５１】
【発明の効果】
以上、説明したように、この発明の支持具および支持ユニットによれば、ケーブルや棒状の被収納物を支持する場合、案内溝に被収納物を挿入すれば、被収納物が収納穴に入るので、被収納物を支持するための作業工程を減らすことができる。また、蓋部を用いれば、被収納物を外側から押圧するので、被収納物の支持を確実にすることができる。
【図面の簡単な説明】
【図１】この発明の実施の形態１による支持具を示す斜視図である。
【図２】図１の支持具の側面を示す側面図である。
【図３】図１のＩ−Ｉ断面を示す断面図である。
【図４】図１の支持具を用いたケーブルの取り付け、取り外しを説明するための説明図である。
【図５】この発明の実施の形態２による支持具の側面を示す側面図である。
【図６】この発明の実施の形態２による支持具の変形例の側面を示す側面図である。
【図７】この発明の実施の形態３による支持具の断面を示す断面図である。
【図８】この発明の実施の形態３による支持具の変形例の断面を示す断面図である。
【図９】この発明の実施の形態３による支持具の変形例の断面を示す断面図である。
【図１０】この発明の実施の形態３による支持具の変形例の断面を示す断面図である。
【図１１】この発明の実施の形態３による支持具の変形例の断面を示す断面図である。
【図１２】この発明の実施の形態３による支持具の変形例の断面を示す断面図である。
【図１３】この発明の実施の形態４による支持具を示す斜視図である。
【図１４】この発明の実施の形態５による支持ユニットを示す正面図である。
【図１５】実施の形態５による支持具の取り付けを説明するための説明図である。
【図１６】この発明の実施の形態６による支持ユニットを示す正面図である。
【図１７】この発明の実施の形態７による支持ユニットを示す斜視図である。
【図１８】この発明の実施の形態７による支持ユニットの変形例を示す斜視図である。
【図１９】この発明の実施の形態８による支持具を示す斜視図である。
【図２０】この発明の実施の形態９による支持具を示す斜視図である。
【図２１】この発明の実施の形態９による支持具の変形例を示す斜視図である。
【図２２】この発明の実施の形態１０による支持具を示す斜視図である。
【図２３】図２２の支持具を用いたケーブルの取り付け、取り外しを説明するための説明図である。
【図２４】この発明の実施の形態１１による支持具を示す斜視図である。
【図２５】この発明の実施の形態１２による支持ユニットを示す斜視図である。
【図２６】図２５の支持ユニットを用いたケーブルの取り付け、取り外しを説明するための説明図である。
【図２７】この発明の実施の形態１３による支持ユニットを示す斜視図である。
【図２８】図２７の台部の平面を示す平面図である。
【図２９】図２７の蓋部の平面を示す平面図である。
【符号の説明】
１  収納体
１Ａ、１Ｅ    端面
１Ｂ、１Ｄ    傾斜面
１Ｃ    上面
１１、１２    分割部分
１３  底部分
２、２Ａ  収納穴
３、３Ａ〜３Ｅ  案内溝
１１  収納体
１２  収納穴
１３  案内溝
２１  支持具
２１Ａ  収納穴
２２  ネジ
３１  台板
３２  支持具
３３  配列体
４１  箱部分
４２  支持具
４３  配列体
４４  筒部分
５１  収納体
５１Ａ  端面
５１Ｂ  傾斜面
５１Ｃ  上面
５２  収納穴
５３  案内溝
６１、６４  収納体
６１Ａ、６１Ｂ  端面
６１Ｃ  上面
６２  収納穴
６３  案内溝
７１  板部
７２  収納穴
７３  案内溝
８１  板部
８２  収納穴
８３  案内溝
９１  台部
９２  収納体
９２Ａ  収納穴
９２Ｂ  案内溝
９２Ｃ、９２Ｄ  分割部分
９３  蓋部
９３Ａ  覆い溝
１０１  台部
１０１１、１０１２  配線経路
１０１Ａ  収納体
１０１Ｂ  ガイド
１０２  蓋部
１０２Ａ、１０２Ｂ  覆い溝
【図１】
2004201399.tif 000003
【図２】
2004201399.tif 000004
【図３】
2004201399.tif 000005
【図４】
2004201399.tif 000006
【図５】
2004201399.tif 000007
【図６】
2004201399.tif 000008
【図７】
2004201399.tif 000009
【図８】
2004201399.tif 000010
【図９】
2004201399.tif 000011
【図１０】
2004201399.tif 000012
【図１１】
2004201399.tif 000013
【図１２】
2004201399.tif 000014
【図１３】
2004201399.tif 000015
【図１４】
2004201399.tif 000016
【図１５】
2004201399.tif 000017
【図１６】
2004201399.tif 000018
【図１７】
2004201399.tif 000019
【図１８】
2004201399.tif 000020
【図１９】
2004201399.tif 000021
【図２０】
2004201399.tif 000022
【図２１】
2004201399.tif 000023
【図２２】
2004201399.tif 000024
【図２３】
2004201399.tif 000025
【図２４】
2004201399.tif 000026
【図２５】
2004201399.tif 000027
【図２６】
2004201399.tif 000028
【図２７】
2004201399.tif 000029
【図２８】
2004201399.tif 000030
【図２９】
2004201399.tif 000031